Podtech/llm-jp-corpus-v4-ja_patent huggingface dataset:
(57)【要約】      （修正有）【解決手段】低周波・マイクロカレント（微弱電流）等、人体に使用する電気治療器を使用し、通電させる為に皮膚に貼付する電極２、３、４、５をつけた電気治療器用皮膚通電パット。【効果】１つのパットに４電極を備える事により、１回の操作で貼付可能になり、電気治療器の通電させる標的が狭小でもパット同士の接触による絶縁を防止し、又、自らパットを貼付する際に貼付操作が容易になる。【選択図】図１
0003112905.tif 000002
【実用新案登録請求の範囲】
電気治療器の使用に際し、通電作用させる為に皮膚に貼付する粘着部を有するパットの形状を一面化したもの。皮膚に貼付する部分を１つのパットで複数電極を同時に通電できるもの。
【考案の詳細な説明】
【技術分野】
【０００１】  本発明は、電気治療の使用に際し通電部位が狭い場合４極を一面化したパットを皮膚に貼付する事で、狭い部位に〔ｐｉｎ  ｐｏｉｎｔ〕通電が可能になり、しかもパットの貼付操作回数が１回で済むものである。
【背景技術】
【０００２】  従来、電気治療器の使用に際し一電極一パットが基本である。通電の標的部が広い場合はよいが、標的が狭小部の場合、４電極を狭小部につける為に、パットの貼付動作が４回以上必要な事、又パットどうしが接触せぬ様に注意深くつけること等、煩わしさがあった。パット同士が接触すると通電作用しない。
【考案の開示】
【考案が解決しようとする課題】
【０００３】  そのために次のような問題があった。（１）通電の標的点が狭い場合、パットの大きさによっては接触し、通電作用しない。（２）４つの電極を使う場合、パットを皮膚に貼付する操作が４回必要。（３）パットの粘着力が弱くなった場合にテープ等でとめるが、その操作も４回必要であった。
【課題を解決するための手段】
【０００４】  ４極を一面化し１つのパットにする事により１回の貼付操作で４極を皮膚に貼付することができる。又標的部が狭い場合でもこのパットの大きさが狭小化標的点以内であれば、接触による通電の絶縁を防げる。
【考案の効果】
【０００５】  このパットの使用により、狭い標的点に対し１回の操作で通電が絶縁する事なく確実に貼付する事が出来る。これにより時間的短縮、通電の絶縁の心配なく皮膚に貼付できる。従って、自分で自らパットを貼付する際に、しかも視界外の部位に貼付する場合も最大の効果を発揮する。
【考案を実施する為の最良の形態】
【０００６】  低周波・マイクロカレント等、皮膚に通電する医療器具を使用する際、１〜２ｃｍ×１〜２ｃｍ程度の粘着パットに４つの電極を組み込む事で通電標的部位が狭くとも、又自らパットを貼付する場合、視界外に通電標的部が存在しても、１回の操作でパットを皮膚に貼付できる。しかも、パット同士が接触する事による通電の絶縁も防げる。又パットの粘着が弱くなった場合、パットの上からテープなどで粘着力を補う場合も固定操作が容易である。
【図面の簡単な説明】
【０００７】
【図１】パットからコードの透明化図
【図２】パットの裏面図（皮膚に貼付しない面）
【図３】パットの表面図（皮膚に貼付する面）
【符号の説明】
【０００８】  ▲１▼  パット本体  ▲２▼  ＋の電極を含む粘着面  ▲３▼  −の電極を含む粘着面  ▲４▼  −の電極を含む粘着面  ▲５▼  ＋の電極を含む粘着面  ▲６▼  絶縁体を含む粘着面  ▲７▼  ＋の電極コード  ▲８▼  −の電極コード  ▲９▼  −の電極コード▲１０▼  ＋の電極コード▲１１▼  ４本の電線コードを束ねたコード
【図１】
0003112905.tif 000003
【図２】
0003112905.tif 000004
【図３】
0003112905.tif 000005
【手続補正書】
【提出日】平成17年4月14日(2005.4.14)
【手続補正１】
【補正対象書類名】実用新案登録請求の範囲
【補正対象項目名】全文
【補正方法】変更
【補正の内容】
【実用新案登録請求の範囲】
【請求項１】
・電気治療器の使用に際し、皮膚に貼付する部に、粘着を有する通電電極パット１つで複数電極を同時に通電できる４極一面化パット。
(57)【要約】      （修正有）【課題】ウオーキングの時、両腕がバランスよく振れる腕振り補助具の提供。【解決手段】ゴムテープ（１）を肩にかけ、挿入環（２）に指を挿入し，ウオーキングすれば腕が長時間下方に下がることなくウオーキングできる。【選択図】図２
0003112910.tif 000002
【実用新案登録請求の範囲】
【請求項１】
ゴムテープやゴム紐の両はしに指や手の挿入環を取り付けた製品。
【請求項２】
テープや紐の両はしに指や手の挿入環を取り付けた製品。
【請求項３】
肩掛け方式。
【請求項４】
製品の全体又は１部分を夜光反射板にする。
【請求項５】
製品の全体又は１部分にウオーキングに必要な注意事項を記入する。
【請求項６】
異なる各人の体格に合わせるよう紐の長さを調整する方式にする。
【請求項７】
異なる各人の体格に合わせた紐の長さに固定する。
【考案の詳細な説明】
【発明の詳細な説明】
この考案ははしに、挿入環を取り付けた紐に関するものである。従来ウオーキングの時正しい姿勢保持のため両腕がバランスよく振れることが望まれている。そして指先の血液の戻りが、心臓の高さに近いほど心臓への負担が軽く良いとされている。長時間ウオーキングしていると，手先がだらりと下がり姿勢も悪くなる。本考案は、その欠点をなくするためなされたもので，それを図面において説明すれば，ゴムテープ（１）を肩にかけ、挿入環（２）に指を挿入し，ウオーキングすれば腕が長時間下方に下がることなくウオーキングできる。
夜光反射板などの製品にしておくと、夜間にウオーキングする際は身の安全にもなる。
【図面の簡単な説明】
【図１】  本考案の平面図と側面図。
【図２】  本考案の製品を肩にかけて使用している状態図。
【符号の説明】
１はゴムテープ，２は指の挿入環。
【図１】
0003112910.tif 000003
【図２】
0003112910.tif 000004
【手続補正書】
【提出日】平成17年4月27日(2005.4.27)
【手続補正１】
【補正対象書類名】実用新案登録請求の範囲
【補正対象項目名】全文
【補正方法】変更
【補正の内容】
【実用新案登録請求の範囲】
【請求項１】
ウォーキング時に用いられ腕の振りを補助する補助具であって、テープ又は紐の両端に指又は手が引っ掛けられる挿入環を取り付けて構成され、上記テープ又は紐を両肩にわたってかけて挿入環に指又は手を引っ掛けることにより腕を折り曲げた状態で腕振りができるようになしたことを特徴とするウォーキング時の腕振り補助具。
【請求項２】
上記テープが、ゴムテープである請求項１記載のウォーキング時の腕振り補助具。
【請求項３】
上記紐が、ゴム紐である請求項１記載のウォーキング時の腕振り補助具。
【請求項４】
上記テープ又は紐の全体又は一部分が夜光反射板となっている請求項１記載のウォーキング時の腕振り補助具。
【請求項５】
上記テープ又は紐の全体又は一部分にウォーキングに必要な注意事項が記入されている請求項１記載のウォーキング時の腕振り補助具。
【請求項６】
上記テープ又は紐が使用する人の体格に合わせた長さに調整し得るようになっている請求項１記載のウォーキング時の腕振り補助具。
【請求項７】
上記テープ又は紐が使用する人の体格に合わせた長さに設定されている請求項１記載のウォーキング時の腕振り補助具。
【手続補正２】
【補正対象書類名】明細書
【補正対象項目名】全文
【補正方法】変更
【補正の内容】
【考案の詳細な説明】
【技術分野】
【０００１】  この考案はウォーキング時の腕振り補助具に関し、特に腕を折り曲げた状態で腕振りができるようにした補助具に関する。
【背景技術】
【０００２】  従来、ウォーキング時に正しい姿勢を保持するためには両腕がバランスよく振れることが望まれている。そして、腕を振っている時に指先が心臓の高さに近くなるほど、指先の血液の戻りによる心臓への負担が軽く、良いとされている。
【考案の開示】
【考案が解決しようとする課題】
【０００３】  しかし、ウォーキングを長時間続けると、両腕が疲れ、手先がだらりと下がり、姿勢も悪くなる。【０００４】  本考案はそのような欠点をなくするためなされたもので、正しい腕振り姿勢でウォーキングができるようにした腕振り補助具を提供することを課題とする。
【課題を解決するための手段】
【０００５】  本考案に係るウォーキング時の腕振り補助具は、ウォーキング時に用いられ腕の振りを補助する補助具であって、テープ又は紐の両端に指又は手が引っ掛けられる挿入環を取り付けて構成され、上記テープ又は紐を両肩にわたってかけて挿入環に指又は手を引っ掛けることにより腕を折り曲げた状態で腕振りができるようになしたことを特徴とする。【０００６】  テープにはゴムテープを用いることができる。また、紐にはゴム紐を用いることができる。【０００７】  夜間にウォーキングする際の安全を確保する上で、テープ又は紐の全体又は一部分を夜光反射板とするのがよい。また、テープ又は紐の全体又は一部分にウォーキングに必要な注意事項を記入するようにするのがよい。【０００８】  テープ又は紐は使用する人の体格に合わせた長さに調整できるようにしてもよく、又使用する人の体格に合わせた長さに設定するようにしてもよい。
【考案を実施するための最良の形態】
【０００９】  以下、本考案を図面に示す具体例に基づいて詳細に説明する。図１及び図２は本考案に係るウォーキング時の腕振り補助具の好ましい実施形態を示す。図において、腕振り補助具はゴムテープ１の両端に挿入環２を取り付けて構成され、ゴムテープ１は図２に示されるようにこれを両肩にかけ渡したときに腕を折り曲げて指を挿入環２に引っ掛けることができる長さに設定されている。【００１０】  本例の補助具を用いる場合、図２に示されるように、ゴムテープ１を肩にかけ、挿入環２に指を引っ掛け、その状態でウォーキングをすると、ウォーキングを長時間行っても、腕が下方に下がることはなく、正しい姿勢及び正しい腕振りでウォーキングをすることができる。
【図面の簡単な説明】
【００１１】
【図１】  本考案に係るウォーキング時の腕振り補助具の好ましい実施形態の平面及び側面を示す図である。
【図２】  上記実施形態の腕振り補助具を肩にかけて使用している状態を示す図である。
【符号の説明】
【００１２】    １        ゴムテープ
２        挿入環
(57)【要約】      （修正有）【解決手段】３は、容器２に接合する面。３ａは、ネジ山で容器と結合する。６は、外蓋である。４は、飲物の出口、５は、飲み口で口に入る所、５ａは、内側がネジ山でネジ栓とで中の飲物を密封する。【効果】飲み口４に曲がったストローを差し込んで飲めば、横向きになっている老人や子供でも楽に飲める。【選択図】図２
0003112911.tif 000002
【実用新案登録請求の範囲】
【請求項１】
ボトルの蓋の中央に孔が通り、上は細くなり中にネジ山がある。
別に棒ネジ６の蓋を飲み口４に差込み密着し密封した。
【考案の詳細な説明】
【考案の詳細な説明】
【０００１】［考案の属する技術分野］
蓋の飲み口を細くし、その上から棒ネジを蓋４に差込み密封した。
【０００２】［従来の技術］
飲み口が大きく、女や子供は口に入らず飲み辛く、寝ながら飲むとこぼす。
【０００３】［考案が解決しようとする課題］
飲み口５を衛生上、他の物に触れないようにして外側にネジ付栓の蓋で密封した。
【０００４】［課題を解決しようとする為の手段］
中の飲物を保護する為、４の口よりネジ山栓６Ｂを差し込んだ。
【０００５】［考案の実施の形態］
飲み口４に曲がったストローを差し込んで飲めば、横向きになっている老人や子供でも楽に飲める。
【０００６】［実施例］
▲１▼  現在のペットボトルの飲み口は口が大きく飲み辛い。中の飲物が無くなるとゴミとして捨てている。
▲２▼  寝ながらの水飲み容器として再利用できる。
［考案の効果］
本考案の飲み口は細く、婦人や子供でも口にて飲みやすく、飲み口の部分が別の蓋にて密封し衛生上汚れない。飲み終わっても水飲み容器として旅行等にも捨てないで持参し、使用により再利用出来る。寝る時は枕もとに水差しとして便利である。
【図面の簡単な説明】  ［図１］
本考案のペットボトルの全体図
［図２］
蓋の断面図で２は１の容器に３ａでネジ込む口  ３は外側４は蓋に孔をあけ、内側５を凹山ネジにした。
［図３］
６ａの蓋の入り口を図２の５ａより図３の６Ｂを差込み嵌め込んで３Ｂの面で密着密封し飲み口４と５を衛生的に保護する蓋。
【符号の説明】
１      ペットボトル容器の全体図
１ａ    図３の断面図でストローを保護する蓋
２      図２孔をあけた蓋で１の容器と接合する口
３      図２孔があいている容器に接合する蓋の下部断面
３ａ    図２のネジ山で容器１と結合する
３Ｂ    ストロー口の外蓋１ａはストロー口を保護する
４      飲物の出口
５      飲み口で口に入る所
５ａ    内側がネジ山で６Ｂのネジ栓とで中の飲物を密封する
６      図３の蓋の断面図で図２の５の側面を保護する蓋
６ａ    ６の断面図の反対側下部の線で本容器の蓋
６Ｂ    ４より続けて入るネジ山の栓
【図１】
0003112911.tif 000003
【図２】
0003112911.tif 000004
【図３】
0003112911.tif 000005
【手続補正書】
【提出日】平成17年4月27日(2005.4.27)
【手続補正１】
【補正対象書類名】実用新案登録請求の範囲
【補正対象項目名】全文
【補正方法】変更
【補正の内容】
【実用新案登録請求の範囲】
【請求項１】
ペットボトル(1)の蓋(2)であって、その中央に孔が通り、上が細くなり中にネジ山（5a）を有する飲み口(4)を具備した前記蓋（2）と、前記飲み口（4）に差込んで密封するための棒ネジ（6B）を具備した蓋（5）とからなるペットボトル用飲み口付き蓋。
【手続補正２】
【補正対象書類名】明細書
【補正対象項目名】全文
【補正方法】変更
【補正の内容】
【考案の詳細な説明】
【技術分野】
【０００１】
本考案は、蓋の飲み口を細くし、その上から棒ネジを蓋に差込み密封するペットボトル用飲み口付き蓋に関する。
【背景技術】
【０００２】
従来のペットボトル用の蓋は、飲み口が大きく、女や子供は口に入らず飲みづらく、寝ながら飲むとこぼすこともあった。また、中の飲物が無くなると、ゴミとして捨てている。
【考案の開示】
【考案が解決しようとする課題】
【０００３】
本考案は、上記課題を解決可能なペットボトル用蓋を提供することにある。
【課題を解決するための手段】
【０００４】
本考案は、ペットボトル1の蓋2であって、その中央に孔が通り、上が細くなり中にネジ山５aを有する飲み口5を具備した前記蓋2と、前記飲み口4に差込んで密封するための棒ネジ６Bを具備した外蓋6とからなるペットボトル用飲み口付き蓋である。
【考案の効果】
【０００５】
本考案のペットボトル用飲み口付き蓋は、細く、婦人や子供でも口にあてて飲みやすい。飲み口の部分が別の外蓋で密封するようにしたので、衛生上、汚れがつきにくい。飲み終わったら、捨てないで旅行等にも持参して水飲み容器として再利用できる。寝る時に枕もとに置いて、寝ながらの水を飲み容器（水差し）として再利用できる。
【考案を実施するための最良の形態】
【０００６】
以下、本考案の一実施態様を添付の図面を用いて説明する。図１〜３において、１はペットボトル容器であり、2は容器１と接合する口を有した蓋である。蓋２は、容器１に接合する孔の開いた面3と容器1と結合するネジ山3aとを有する。
【０００７】
4は、飲み口5の出口である。飲み口5は、上が細くなり中に凹ネジ山５aを有する。出口４より後述の棒ネジ６Bを差し込んで、ネジ山5aと棒ネジ6Bとで、中の飲物を密封して中の飲物を保護する。
【０００８】
6（また1a）は、飲み口５の側面を保護する外蓋である。ストローを保護する蓋でもある。外蓋６は、６a面方向から飲み口4に差込んで密封するためのネジ山を有した栓としての棒ネジ６Bを具備する。
【０００９】
こうして、飲み口5が、衛生上、他の物に触れないように、その外側をネジ山付きの外蓋６で密封することができる。また、飲み口5に曲がったストローを差し込んで飲めば、横向きになっている老人や子供でも楽に飲めことができる。
【図面の簡単な説明】
【００１０】
【図１】本考案のペットボトル用飲み口付き蓋の使用状態を示す斜視図である。
【図２】本考案のペットボトル用飲み口付き蓋の飲み口側蓋の断面図である。
【図３】ペットボトル用飲み口付き蓋の外蓋の断面図である。
【符号の説明】
【００１１】
１：      ペットボトル容器
2：      容器１と接合する口を有する蓋
3a：     容器1と結合するネジ山
5：      飲み口
5a：     ネジ山
6：      外蓋
6B：     棒ネジ（ネジ山を有する栓）
【手続補正３】
【補正対象書類名】図面
【補正対象項目名】全図
【補正方法】変更
【補正の内容】
【図１】
0003112911.tif 000006
【図２】
0003112911.tif 000007
【図３】
0003112911.tif 000008
(57)【要約】【課題】本考案は苗の根元の地表を銅板で覆い、溶出する銅イオンのなめくじに対する忌避効果を利用して、苗のなめくじの食害からの保護を図る。【解決手段】本考案は育苗用なめくじ忌避板１を爪２を地中に挿し込んで苗４の根元の地表５に固定し、溶出する銅イオンによりなめくじの接近を防ぐ。本体の忌避板１には隙間３が付けてあり、着脱の便を図っている。また、育苗用なめくじ忌避板は、コの字型銅版で苗の根元を囲む例もとりうる。【選択図】図２
0003112914.tif 000002
【実用新案登録請求の範囲】
【請求項１】
苗をなめくじの被害から保護するために、苗の根元の周囲の地表を銅製の育苗用なめくじ忌避板で覆う。本体忌避板には、地表に固定するための爪と着脱の際苗を傷つけないよう隙間を設けた。
【請求項２】
育苗用なめくじ忌避板は、コの字型の銅版を用いて苗の根元を囲むことも可能で、このやり方で、銅板の枚数の増減により囲む苗の根元の面積を自由に変えることが出来，製造・使用等の簡易化を図る事も可能である。
【考案の詳細な説明】
【技術分野】
【０００１】  本考案は、なめくじが銅イオンを嫌うことを利用して、苗の根元の周囲の地表を覆って爪で固定し苗を傷つけずに着脱出来るようにした、なめくじ忌避銅板に関するものである。
【背景技術】
【０００２】  従来，殺虫剤・忌避剤等の化学的方法や誘殺・隔離・忌避装置等の物理的方法が行われて来た。
【考案の開示】
【考案が解決しようとする課題】
【０００３】  従来の化学的方法は、いずれも、経済的・労力的負担に比し、効果に不確実性が有ることは否めず，忌避装置も工業化の見地から問題があった。
【課題を解決するための手段】
【０００４】  本考案は，苗の周囲の地表を銅板で覆うもので，銅板は銅イオンを溶出しなめくじを近づけない。
【考案の効果】
【０００５】  上述の様に、本考案の育苗用なめくじ忌避板は極めて簡単な構造で工業化も容易であるので、安価で忌避効果は確実で半永久的に使用できることからも、使用者にとって非常に経済的なものである。
【考案を実施するための最良の形態】
【０００６】  育苗用なめくじ忌避板は植物の播種時に播種位置を取り囲むか苗の根元の地表を覆うように地表に設置するが、苗の成長後の使用も可能である。【０００７】  本体の銅板は、約２カ月経つと表面が酸化銅に変化し忌避効果が低下するので、１．５カ月から２カ月に１度は取り外し上の面を砥いで，酸化銅の皮膜を取り除いてやると良い。
【実施例】
【０００８】  以下，添付図面に従って一実施例を説明する。１は手で容易に曲げられる程度の厚さの本体銅板で、２の爪を地中に挿し込んで固定させる。本体銅板には３の隙間を作っておき本案育苗用なめくじ忌避板の着脱の際、苗４を傷つけることは無い。５は地表である。【０００９】  なお図２は苗が数本ある時に用いる大型のもので，図３は苗が１本のときに用いる小型のものであり、図４は小型育苗用なめくじ忌避板の側面図である。【００１０】  図５の様にコの字型の銅板数枚で苗の根元を囲む事も可能で、銅板の枚数の増減により囲む面積を変えることが出来、製造・使用等の簡易化を図る事も可能である。
【図面の簡単な説明】
【００１１】
【図１】本考案の大型育苗用なめくじ忌避板実施例の斜視図
【図２】本考案の小型育苗用なめくじ忌避板実施例の斜視図
【図３】本考案の小型育苗用なめくじ忌避板実施例の側面図
【図４】本考案の大型育苗用なめくじ忌避板の側面図
【図５】本考案のコの字型銅板４枚使用の育苗用なめくじ忌避板の全体の斜視図
【符号の説明】
【００１２】１  育苗用なめくじ忌避板本体
２  爪
３  隙間
４  苗
５  地表
６  コの字型銅板の苗の根元を囲む部分
７  コの字型銅板の地中に挿し込む爪の部分
【図１】
0003112914.tif 000003
【図２】
0003112914.tif 000004
【図３】
0003112914.tif 000005
【図４】
0003112914.tif 000006
【図５】
0003112914.tif 000007
【手続補正書】
【提出日】平成17年5月19日(2005.5.19)
【手続補正１】
【補正対象書類名】実用新案登録請求の範囲
【補正対象項目名】全文
【補正方法】変更
【補正の内容】
【実用新案登録請求の範囲】
【請求項１】
苗をなめくじの被害から保護する為に、地表に固定する為の爪と着脱の際苗を傷つけないように隙間を設けた銅製育苗用なめくじ忌避板．
(57)【要約】      （修正有）【課題】汗が匂いに変わる前に中敷を替えられ、いつでも快適でいられ、またつま先部分のみの中敷でも靴の中でずれにくい携帯用の靴の中敷の提供。【解決手段】つま先部分だけの大きさで持ち運びが楽で、簡単に中敷の交換ができ、汗の吸収が良い素材を使用し、つま先の汗をもらしにくい作りである。中敷本体１は、わた・木綿を中心とした繊維を何層か重ね３から４ミリの厚みがある、足の指があたる部分には、本体同様素材の汗止め２が一体的についており、また中敷裏にはゴム状の突起（すべり止め）３がついている。【選択図】図１
0003112916.tif 000002
【実用新案登録請求の範囲】
【請求項１】
足のつま先部分の汗取のため、靴のつま先部分のみの中敷で、携帯しやすく、また楽に替えられるところに特徴がある。
【請求項２】
前項の中敷は、毎日洗濯でき、または使い捨てする事を前提としたところに特徴がある。
【請求項３】
わた・木綿・を中心とした素材で作られているので滑りやすい為、裏側にゴム状の滑り止めがついているところに特徴がある。
【考案の詳細な説明】
【技術分野】
【０００１】  この考案は、靴の中に敷く汗取りの、中敷の形状、素材に関する。
【背景技術】
【０００２】  従来の靴の、汗取り中敷は図２のように平らで、つま先からかかとまである物である。
【考案の開示】
【考案が解決しようとする課題】
【０００３】  しかしながら従来の中敷は、靴にもともと貼ってあるブランドのロゴを隠してしまい、また、人前で靴を脱ぐ時、中敷が見えてしまい抵抗があり、また靴下を履かない場合や、ストッキングを履いて靴を履くと、足のつま先部分にかいた汗が、夏では２・３時間で匂いに変わってしまうが、汗をかいた時点で簡単に取り替えにくい事を課題とする。
【課題を解決するための手段】
【０００４】  以上の課題を解決するために、第一考案は、足のつま先部分のみの中敷で、持ち運びやく、替えやすい事。
また第二考案は中敷を、毎日洗濯、または汗をいて不快な時その場で、使い捨てとして使用する事を前提とした物である。
また第三考案は汗の吸収が良く、また汗が匂いに変わりにくい素材である、わた・木綿等を中心として使用しているため、滑りやすいので裏にゴム状の滑り止めがついている。
【考案の効果】
【０００５】  第一考案、第二考案、により、汗が匂いに変わる前に中敷を替えられ、いつでも快適でいられる、また第三考案によりつま先部分のみの中敷でも靴の中でずれにくい。
【考案を実施するための最良の形態】
【０００６】  この考案の一実施形態を、図１に示す。
中敷本体１は、わた・木綿を中心とした繊維を何層か重ね３から４ミリの厚みがある、足の指があたる部分には、本体同様素材の汗止め２が一体的についており、また中敷裏にはゴム状の３がついている。【０００７】「実施形態の効果」
この形状、材質により足のつま先が、直接靴底につかず、つま先付近から出た汗は中敷が吸収し快適でいられ、また中敷の底についている滑り止めで靴の中で中敷がずれにくい。【０００８】「他の実施形態」
図１の実施形態では、すべり止めは複数の半円球状の突起３であったが、すべり止めは横方向に走るゴム状のものを設けたものでも良い。
【図面の簡単な説明】
【０００９】
【図１】この考案の一実施形態を示す斜視図である。
【図１−１】図１を後ろ上空から見た図である。
【図２】従来品を示す斜視図である。
【符号の説明】
【００１０】  １  中敷本体            ２  中敷本体と一体で、指にあてる部分の中敷
３  突起（すベり止め）
【図１】
0003112916.tif 000003
【図１−１】
0003112916.tif 000004
【図２】
0003112916.tif 000005
【手続補正書】
【提出日】平成17年4月21日(2005.4.21)
【手続補正１】
【補正対象書類名】実用新案登録請求の範囲
【補正対象項目名】全文
【補正方法】変更
【補正の内容】
【実用新案登録請求の範囲】
【請求項１】
足のつま先部分にかいた汗をのがさず吸い取り、いつでもらくに交換できるよう、靴のつま先部分にだけ敷く形状で、何枚も携帯しやすい利便性を特徴とする靴の中敷。
【請求項２】
請求項１に記載の靴の中敷は、利便性を考慮して、使い捨てができ、または洗って繰り返しの利用も可能であることを特徴とする靴の中敷
【請求項３】
請求項１に記載の靴の中敷は、靴内でずれてつま先部分の汗をのがすことがないよう、裏に滑り止めがついていることを特徴とする靴の中敷。
(57)【要約】      （修正有）【課題】履物内で発生する湿気を体感した時点で吸収させ、防臭・消臭効果を上げる。【解決手段】足先部分より出る湿気を吸収させるべく湿気吸収力のる生地で、足指挿入袋１を設ける。尚、足指挿入袋１が履物内での異動防止のため、人足Ｈ底部で支えるよう下敷き２も設ける。【選択図】図２
0003112912.tif 000002
【実用新案登録請求の範囲】
【請求項１】
湿気吸収力のある生地で、足指挿入袋（１）と、（１）を履物内で異動させ難くさせる為、下敷き（２）を設ける。
以上の如く構成された、履物内湿気吸収半足袋カバー。
【考案の詳細な説明】
【技術の分野】
【００１】  本考案は、履物内の湿気を吸収させる、履物内湿気吸収半足袋カバーに関するものである。
【背景技術】
【００２】  従来より、防臭・消臭に関する対策方法としては、種々改良が進められてきている。しかし、根源である湿気を体感した時点で、除去させる解決策には至っていないのが現状である。
【考案の開示】
【考案が解決しようとする課題点】
【００３】  本案は、履物内で発生する湿気を体感した時点で、吸収させ、防臭・消臭効果を上げようとするものである。
【課題を解決するための手段】
【００４】  そこで、足指部分より出る湿気を吸収させるべく、湿気吸収力のある生地で、足指挿入袋（１）を設ける。尚、（１）が履物内での異動防止のため、人足（Ｈ）底部で押さえるよう下敷き（２）を設ける。
【考案の効果】
【００５】  よって、本考案の履物内湿気吸収半足袋カバーにより、体感した湿気を吸い取っていく事ができる。又、新しいものに何時でも交換でき、携帯用としての持ち運びも可能にし、かつ、防臭・消臭効果を上げるものである。
【考案を実施するための最良の形態】
【００６】  本考案は、履物内の湿気を吸収させるため、図（１）を足指部分に覆いかぶせ、図（２）で示すように装着し、使用するものである。履物内での湿気は足指部分より始まることから、これを重点的に解決する為には、その部分だけの物が必要になるので、履物内湿気吸収半足袋カバーとする。
【図面の簡単な説明】
【００７】
【図１】本考案の、履物内湿気吸収半足袋カバーの斜視図である。
【図２】本考案を使用した斜視図である
【符号の説明】
【００８】  １      足指挿入袋
２      下敷き
Ｈ      人足
【図１】
0003112912.tif 000003
【図２】
0003112912.tif 000004
(57)【要約】      （修正有）【課題】受け皿を必要としない植物鉢の提供。【解決手段】底板部２と外底板部２の周縁から上方に立ち上がった周壁部３とからなり、前記周壁部３の上縁は外側に向かって屈曲されてつば部４となっている略壺形をなした外側容器１の内側に、前記外側容器１とほぼ相似形をなし、前記外側容器のそれより小さい底板部６と周壁部７とからなり、底板部６には水抜き用の透孔９が、周壁部７の上端寄りには周壁部７を取り巻く様に複数の透孔１０がそれぞれ形成され、周壁部７の上縁は外側に向かって屈曲されつば部８となっている略壺形をなした内側容器５を、前記つば部４と８とを上下に重ね合わせ、接着させることにより、外側容器１と内側容器５との間に空隙１１及び１２が形成される様に固定せしめた植物鉢。【選択図】図１
0003112987.tif 000002
【実用新案登録請求の範囲】
【請求項１】
底板部２と該底板部２の周縁から上方に立ち上がった周壁部３とからなり、前記周壁部３の上縁は外側に向かって屈曲されてつば部４となっている略壺形をなした外側容器１の内側に、前記外側容器１とほぼ相似形をなし、前記外側容器のそれより小さい底板部６と周壁部７とからなり、底板部６には水抜き用の透孔９が、周壁部７の上端寄りには周壁部７を取り巻く様に複数の透孔１０がそれぞれ形成され、周壁部７の上縁は外側に向かって屈曲されてつば部８となっている略壺形をなした内側容器５を、前記つば部４と８とを上下に重ね合わせ、接着させることにより、外側容器１と内側容器５との間に空隙１１及び１２が形成される様に固定せしめたことを特徴とする植物鉢。
【請求項２】
外側容器１及び内側容器５が微生物分解性合成樹脂によって構成されていることを特徴とする請求項１記載の植物鉢。
【考案の詳細な説明】
【技術分野】
【０００１】
この考案は植物鉢、詳しくは受け皿を必要としない植物鉢に関するものである。
【背景技術】
【０００２】
草木類の育成に用いる植物鉢は、古くから広く使用されているが、これら植物鉢には水抜きの為の水抜き孔がその底面に設けられている。これは、この水抜き孔がない場合には、水の滞溜による通気性の低下により、植えられている草木類が根腐れを起こしてしまう為である。
【特許文献１】なし
【非特許文献１】なし
【考案の開示】
【考案が解決しようとする課題】
【０００３】
しかしながら、この水抜きがある為、植えられている草木類に水を散布した後は、水抜き孔から余分の水が外部に排出されるので、この植物鉢を室内に置く際には、排出された水を受ける受け皿の上にこの植物鉢を載置することが必要となる。
【０００４】
つまり、従来の場合、植物鉢単独では室内に載置することが出来なかったのであり、受け皿の必要性は植物鉢の設置や移動の制約となり、又、植物鉢自体のデザインを決める上での障害ともなっていた。
【０００５】
本考案者は、植物鉢に関する上記問題点を解決すべく研究を行った結果、受け皿を全く必要としないにもかかわらず、外部に水が漏出せず、水捌けも良好で、草木の育成に悪影響を与えることがない便利な植木鉢を開発することに成功し、本考案としてここに提案するものである。
【課題を解決するための手段】
【０００６】
底板部２と該外底板部２の周縁から上方に立ち上がった周壁部３とからなり、前記周壁部３の上縁は外側に向かって屈曲されてつば部４となっている略壺形をなした外側容器１の内側に、前記外側容器１とほぼ相似形をなし、前記外側容器のそれより小さい底板部６と周壁部７とからなり、底板部６には水抜き用の透孔９が、周壁部７の上端寄りには周壁部７を取り巻く様に複数の透孔１０がそれぞれ形成され、周壁部７の上縁は外側に向かって屈曲されてつば部８となっている略壺形をなした内側容器５を、前記つば部４と８とを上下に重ね合わせ、接着させることにより、外側容器１と内側容器５との間に空隙１１及び１２が形成される様に固定せしめることにより、上記課題を解決した。
【実施例】
【０００７】
図１はこの考案に係わる植物鉢の一実施例の縦断面図、図２はその平面図、図３はその斜視図である。図中１はこの植物鉢の構成要素の一つである略壺形をした外側容器であり、底板部２とこの底板部２の周縁から上方に立ち上がった周壁部３とからなっており、周壁部３の上縁は外側に屈曲せしめられ、つば部４となっている。
【０００８】
一方、図中５は前記外側容器１中に位置せしめられている内側容器であり、外側容器１より小さく、ほぼそれと相似形をしており、底板部６と底板部６の周縁から上方に立ち上がった周壁部７とからなっており、周壁部７の上縁は外側に屈曲せしめられ、つば部８となっている。
【０００９】
そして、外側容器１と内側容器５とは、それぞれのつば部４及び８が上下に重ね合わされ接着剤等で接着されることにより一体化されており、周壁部３及び７の間には空隙１１が、底板部２及び６の間には空隙１２がそれぞれ形成されている。
【００１０】
又、内側容器５の底板部７の中央には水抜き用の透孔９が、周壁部７のやや上方よりの位置には周壁部７を取り巻く様に複数の透孔１０が横方向に一列に形成されている。
【００１１】
なお、この実施例においては外側容器１及び内側容器５は円筒状をなしているが、図４に示す様に、外側容器１及び内側容器５を方形に形成しても良い。又、外側容器１及び内側容器５は、共に地中に存在する微生物によって分解される微生物分解性合成樹脂によって構成しても良い。
【００１２】
この実施例は上記の通りの構成を有するものであり、図５に示す様に、透孔１０の設置位置より地表面１３が下方になる様に栽培土１４を内側容器５内に充填し、これに植物１６を植えてその育成の用に供するものであり、栽培土１４に水１５を散布した場合には、余分な水１５は透孔９を通って外側容器１の底板部２に滞溜した後、気化して透孔１０から外気中に放散される。従って、内側容器５中には余分な水１５は滞溜せず、栽培土１４は常に水捌けの良い良好な状態に保持される。又、余分な水１５は外側容器１の底板部２によって受け止められ、外側容器１外には流出しないので、受け皿などは全く必要とせず、水漏れや水濡れを嫌う場所にも自由に載置することが可能となり、極めて便利であり、高い実用的価値を有する。又、外側容器１及び内側容器５を微生物分解性合成樹脂によって構成した場合には、用途廃止後、地中に埋設すれば、自然に土に戻るので、環境保全の面からも好ましいものである。
【図面の簡単な説明】
【００１３】
【図１】この考案に係わる植物鉢の一実施例の縦断面図。
【図２】同じく、その平面図。
【図３】同じく、その斜視図。
【図４】同じく、他の実施例の斜視図。
【図５】この考案に係わる植物鉢に実際に植物を植えた状態の縦断面図。
【符号の説明】
【００１４】
１    外側容器
２    底板部
３    周壁部
４    つば部
５    内側容器
６    底板部
７    周壁部
８    つば部
９    透孔
１０    透孔
１１    空隙
１２    空隙
１３    地表面
１４    栽培土
１５    水
１６    植物
【図１】
0003112987.tif 000003
【図２】
0003112987.tif 000004
【図３】
0003112987.tif 000005
【図４】
0003112987.tif 000006
【図５】
0003112987.tif 000007
(57)【要約】      （修正有）【課題】刺激したい足つぼを自在に選択でき、健康促進やダイエット効果が期待できるジグゾー足つぼ靴底を提供する。【解決手段】足つぼ靴底のピンの入る位置１ｂにピンを刺激したいつぼに対応するように下から差し込む。また、ピンの高さは何種類も用意でき、刺激したい力加減を自在に選択できる。消臭効果のあるもの４ｂを挟む上下の素材４ａ、４ｃは滑りにくい素材で加工が可能である。ピンの底は多種多様な形に加工でき、両面テープなどの粘着力を持つシール状になっておる。靴底・中敷き・台・板・機械など足つぼを刺激しようとするすべてのものに応用できる。【選択図】図４
0003112984.tif 000002
【実用新案登録請求の範囲】
【請求項１】
履物と足裏の間にある靴底において、足つぼを刺激する材料で、足つぼを自在に選択し刺激する力も自在に調節でき刺激したい場所に係止可能で、また、一般に市販されている履物に、直接、自在に係止可能にしたことを特徴とする靴底。
【請求項２】
一般に市販されている履物で、足が覆われている履物・覆われていない履物すべてに利用可能で、さらに、足つぼを刺激しようとするすべての健康器具に請求項1の考えを利用可能にした請求項１に記載の靴底。
【考案の詳細な説明】
【技術分野】
【０００１】
本考案は、足つぼを自在に選択し、刺激する力も突起物の高さを変えることにより自在に調節できる靴底に関するものである。
【背景技術】
【０００２】
従来、足つぼを刺激する靴底は、型が決まっており、固定されたつぼしか刺激することができず不必要な足つぼを刺激することは、肉体的負担も大きく苦痛である。また、可変式も考案されているが、刺激したいつぼの突起物を１つ１つ入れ替えるため時間がかかる（特許文献１）、あるいは、何種類もの中敷きを用意しなければならない（特許文献２）などの問題があった。さらに、突起物が１つ１つ独立しているため本当に刺激したいところに当たっているか心配（特許文献３）であった。
【特許文献１】特開2001-286530号
【特許文献２】特開2003-153701号
【特許文献３】特開2004-526527号
【考案の開示】
【考案が解決しようとする課題】
【０００３】
不必要な足つぼを刺激することは、肉体的負担も大きく苦痛で、何種類かの中敷きやスリッパを用意することは経済的に無駄があり、それらを常に持ち歩くことは労働的負担も大きく不便である。従って、軽量で持ち運びに便利な足つぼを刺激する材料(以下ピン（２ａ、２ｂ）（３ａ、３ｂ）)を状況や健康状態に応じて差し替えて、足つぼを自在に刺激することにより問題点を解決しようとするものである。
【課題を解決するための手段】
【０００４】
本考案は、ピンをジグゾーパズルのように１つのグループと考え、自分の刺激したい強さを考え、高さを選択したピンで、刺激したい足つぼを自在に選択し、その場所に係止可能にすることにより問題点を解決している。
【考案の効果】
【０００５】
本考案のジグゾー足つぼ靴底は、刺激したい足つぼを自在に選択でき、健康促進やダイエット効果が期待できる。
【０００６】
何カ所でも刺激でき、自分の健康状態にあわせた足つぼの選択ができる。
【０００７】
左右の足で異なる場所を刺激することも可能で、血行を良くしたい場所だけを刺激でき、健康促進に役立つ。
【０００８】
ピンの長さを変えることができ、段階的に刺激することができるため、初心者でも安心して利用できる。
【０００９】
靴底のつぼの位置に、名称を印刷可能で、色分けするなどして刺激したいつぼの位置を示すことができるので、つぼの知識がなくても容易につぼの位置がわかり便利である。
【００１０】
一カ所の刺激したいつぼの周辺に、一グループと考えたピンをいくつも差し込むことができ、必ず刺激したいつぼにピンの1部が当たることが期待できる。
【００１１】
長さの異なるピンは色分けするなどの工夫が可能で、初心者でも安心して利用できる。
【００１２】
一般に市販されている履物のサイズすべてに対応できるため、どんな足のサイズの人にも利用できる。
【００１３】
通気性、弾力性、消臭効果があるので、一般の靴底としても利用できる。
【００１４】
市販されている履物に利用可能なため、現在もっている履物にも利用できる。
【００１５】
滑りにくい素材のため足を覆う履物以外（スリッパなど）にも利用できる。
【００１６】
すべての健康器具に利用可能にした考えで、用途は多岐にわたる。
【考案を実施するための最良の形態】
【００１７】
図４に示すように靴底の形をした活性炭などの消臭効果のあるものを間に挟むようにし、足つぼに対応したいくつかの穴をあけ（１ｂ）、プラスチックなどの合成樹脂や、ゴム・スポンジなどの弾力材や、石・陶器などのセラミック材や、金属類や、磁気を帯びたものなどのピンを底から差し込む。また、ピンの底は多種多様な形に加工でき両面テープなどの粘着力を持つシール状になっており、多種多様な場所に係止可能なため、市販の履物にも係止可能になっている。
【実施例１】
【００１８】
図１に示す本発明の足つぼ靴底に、ピンの入る位置（１ｂ）にピンを刺激したいつぼに対応するように下から差し込む。また、ピンの高さは何種類も用意でき、刺激したい力加減を自在に選択できる。
【００１９】
消臭効果のあるもの（４ｂ）を挟む上下の素材（４ａ、４ｃ）は滑りにくい素材で加工が可能であり、足を覆う履物以外にも利用できる。
【００２０】
ピンの底は多種多様な形に加工でき、両面テープなどの粘着力を持つシール状になっており、市販の履物に係止できる。
【００２１】
靴底・中敷き・台・板・機械など足つぼを刺激しようとするすべてのものに応用できる。
【図面の簡単な説明】
【００２２】
【図１】靴底左側の平面図
【図２】高いピンの斜視図
【図３】低いピンの斜視図
【図４】Ａ−Ａ’断面図
【図５】ジグゾー足つぼ靴底の斜視図
【符号の説明】
【００２３】
１ａ  靴底左側
１ｂ  ピンの入る位置
２ａ  高い突起物
２ｂ  高い突起物台
３ａ  低い突起物
３ｂ  低い突起物台
４ａ  消臭効果のあるものを挟む下側の素材
４ｂ  消臭効果のあるもの
４ｃ  消臭効果のあるものを挟む上側の素材
【図１】
0003112984.tif 000003
【図２】
0003112984.tif 000004
【図３】
0003112984.tif 000005
【図４】
0003112984.tif 000006
【図５】
0003112984.tif 000007
【手続補正書】
【提出日】平成17年6月3日(2005.6.3)
【手続補正１】
【補正対象書類名】実用新案登録請求の範囲
【補正対象項目名】請求項１
【補正方法】変更
【補正の内容】
【請求項１】
履物と足裏の間にある靴底において、靴底の形をした活性炭などの消臭効果のあるものを間にもち、その上下を弾力効果があり滑りにくい素材で挟み、足つぼに対応したいくつかの穴をあけた中敷きに、台の付いた弾力効果のある突起物を係止可能にしたことを特徴とする靴底。
【手続補正２】
【補正対象書類名】実用新案登録請求の範囲
【補正対象項目名】請求項２
【補正方法】変更
【補正の内容】
【請求項２】
突起物の台の裏は、粘着力を持つシール状になっており、足つぼを刺激しようとするすべての健康器具に利用可能にした請求項１に記載の靴底。
(57)【要約】      （修正有）【課題】ボールを打った際に、折れたり、割れたりせず、ゴルフ場の環境を汚くしないゴルフ用テイーの提供。【解決手段】支柱部分１の材質は、プラスチック製などで、戴冠部分２は、材質をゴムにして、ゴムの元に戻る弾性体やソフト感伸縮性を利用したもので、テイーが折れたり、割れたりしないし、ゴルフボールを打った時にクラブヘッドに与える損傷度も減少する。  【選択図】    図２
0003112982.tif 000002
【実用新案登録請求の範囲】
【請求項１】
支柱部分をプラスチック製などにし、ゴルフボールを乗せる載置部分をゴムにして構成されたゴルフ用テイーにおいて、
前記テイーはゴムの元に戻る性質の弾性体とソフト感伸縮性を利用したもので、ボールを打った時にクラブヘッドに与える影響が少なく、損傷度も減少し、折れたり、割れたりすることが無く飛距離アップにもつながる、  又、テイーの高さを表す目盛をつける事に依って、これまでテイーグランドに突き刺す時にテイーの高さを目検討や感だけで刺してきた事が解消され、スタートするホールや使用クラブに依って、高さを簡単に選択できて、支柱部分の接点まで安心して地面に刺す事が出来る、  支柱部分の芯についてはねじ込み式にしてあるので、使用クラブやホールによってゴムの部分を取り替える事が出来て便利である、又  高さが固定したら接着しても良い、実際試作品を作って使用したところ、テイー自体の前に飛ぶ回数が依然より少なくなった、前に飛んだ時、冬のテイーグランド周辺のラフや土の色とゴムの色が同系色のため、同化して探しにくいので、目盛単位に反対色を着色したり目盛に段差をつけてカラフルな模様に着色すると容易に探す事ができる、テイーグランドでゴルフボールを打つ時にはゴムのティーのため練習場での心境でスイング出来て精神的にも楽になり、スコアアップにもつながる特徴のあるゴルフ用テイである。
【考案の詳細な説明】
【技術分野】
【０００１】本考案は、ゴルフ場のテイーグランドにおいて、ゴルフボールをテイーアップして打つ際に使用するゴルフ用テイーに関するものである。
【背景技術】
【０００２】  現在、ゴルフ場で使用されているゴルフ用テイーは、全体が木製やプラスチック製などで作られたものが大半である。
【問題を解決しようとする課題】
【０００３】  前記の材質のゴルフ用テイーは、ボールを打った際に、折れたり、割れたりして、ゴルフ場の環境を著しく汚くしている。
【課題を解決するための手段】
【考案の開示】
【０００４】  本考案は、これまでの問題点であった、折れたり、割れたり又、目検討や感で地面に刺してきた事をこのテイーはゴムのソフト感伸縮性を利用したもので、折れたり、割れたりする事を解決できて、クラブヘッドにも傷がつきにくい、目盛をつけたことによって高さの安定が保たれる。
【実施例】
【０００５】  図面に基づいて実施例を説明する。
【図面の簡単な説明】
【０００６】
【図１】は、概観図で符号１は、支柱部分で材質は、プラスチック製などである、符号２は、材質をゴムにして、ゴムの元に戻る弾性体やソフト感伸縮性を利用したもので、テイーが折れたり、割れたりしないし、ゴルフボールを打った時にクラブヘッドに与える損傷度も減少する、符号３は、テイーの高さを表示する目盛をつけたもので、一定の高さを保持できるように単位は１ｃｍにして端数は０．５ｃｍ単位にする、これまでテイーの高さを目検討や感で地面に刺していたものを、目盛があるため、符号４の接点まで地面に刺す事ができて、テイーの高さは常時正確な高さが保たれる、符号４は符号１と符号２の接点部分であり地面に刺す時に安心して接点部分まで刺す事ができる、
【図２】は断面図で、符号５は支柱部分の芯でねじこみ式にして、符号２を使用クラブやホールに依って取替えを可能にしたもので接着しても使えるようにした。
【符号の説明】
【０００７】  １          支柱部分
２          載置部分
３          目盛
４          接点部分
５          芯
【図１】
0003112982.tif 000003
【図２】
0003112982.tif 000004
(57)【要約】      （修正有）【課題】ヘアドライヤーなどのカール式コートが使用していくことによって捩れたり絡まったりする不都合を解消する。【解決手段】ピン２とカール式コードの各先端部分をとりつけて、カールの中に全体を差し込むだけで、本来のコードの形を変えずに、捩れたりすることを防ぐ場所をとらない便利な自由自在な実用品として解決する。【選択図】図３
0003112983.tif 000002
【実用新案登録請求の範囲】
【請求項１】
ヘアドライヤーなどのカール式コードを有するカール式コードの中に差し入れる棒型伸縮式形態保持具。
【考案の詳細な説明】
【技術分野】
【０００１】  本考案は、一般社会の電話受話器のコードが使用を重ねることでコードが絡み使用に不具合を生じさせることを防止する為の実用品に関するものである。
【背景技術】
【０００２】  従来、会社や家庭にある電話機と受話器を繋ぐコードは使用していくうちに、コードが絡まったり捩れたりなどして、不具合が生じてもその対応策はその都度まっすぐにコードを伸ばしたり、或いは別のコードを購入するなどしていた。
【考案の開示】
【考案が解決しようとする課題】
【０００３】  電話機と受話器を繋ぐコードは、使用していくうちに時間が経つにつれ絡まったり、捩れたりして使用頻度が高ければ高いほどその不具合を生じる頻度は高くなる。その為に電話を使用する際に、時間的、労働的に負担になり、行く末は別のコードを購入するなどして経済的負担にもなる。がしかし、本考案は使用することによって前述の欠点を解決しようとするものである。
【課題を解決しようとする手段】
【０００４】  本考案はこのような従来の構成が有していた問題を解決しようとするものであり、電話受話器コードが捩れるのを防ぐだけでなく、新たに受話器の横やその目的を達成させるために必要な器具を必要とせず、従来の電話受話器コードのカールの中に差し込むだけで、捩れたりすることを防ぐ場所をとらない便利な実用品として実現することを目的とするものである。
【考案の効果】
【０００５】  以上に述べた従来の電話受話器コードを収納する器具としては電話機の横に新たに長方形の器具を取り付けて場所をとったり、また或いはその受話器コード収納の目的を果たすには新たに電話機専用の箱を設置しなければならない。これまで電話受話器のコードを捩れを防ぐためには新たにその目的を果たすために必要な電話専用の箱、また受話器側の壁に新たに専用に長方形のコードを貼り付けるなどをして場所などを必要としていたが、本考案は上記目的を達成するために新たに場所や、別の器具をとりつけることなく、本来の電話受話器コードの形を変えずにただカール式のコード中に差し込むだけで電話受話器コードが捩れるのを防ぐ便利な実用品としてその目的を解決するにいたる。
【考案を実施するための最良の形態】
【０００６】  上述したように本考案の電話受話器コード棒型伸縮式形態保持具は、新たに電話器を収納する箱を設置しその目的専用のために新たに電話受話器コード専用の器具を取り付けたり、また新たに電話受話器側の壁に長方形の受話器専用コードを取り付ける場所を設置して捩れを妨げる器具としてではなく、ただ単純に従来の電話受話器のコードのカールの中に図３で示したようにカールの中に差し込むだけで電話受話器コードが捩れることが防げる器具であり、従来の目的を果たす以上の単純明快な自在器具として提供できる。
【実施例】
【０００７】  以下、本考案の実施の形態を図１〜図３に基づいて説明する。図１と図２の１は伸縮可能な棒型ゴム、２はその１を留めるピンでここに従来の受話器の端と端につなぐだけで成立する。【０００８】  図３では本考案を実際に電話受話器のコードに取り付けた実施例である。伸縮可能なので、自在に操ることも可能であり、その為に必要な器具やスペースを必要とせず従来どおりの機能を果たす。
【図面の簡単な説明】
【００１０】
【図１】本考案本体の横から見た図である。
【図２】本考案本体の縦から見た図である。
【図３】本考案を電話受話器のコードに取り付けた実施例である。
【符号の説明】
【００１１】  １．伸縮可能なゴム
２．ピン
３．カール式コード
【図１】
0003112983.tif 000003
【図２】
0003112983.tif 000004
【図３】
0003112983.tif 000005
(57)【要約】      （修正有）【課題】化粧をする際に眉を描く時，頭の中で眉線をイメージし，その形に描いてゆくのであるが，なかなかイメージ通りに描き上げることは難しく，大変時間もかかるものであった。また，従来の化粧用眉器具は，硬い材質で両端３が細くとがっているため，顔を傷つげる危険性があると共に，眉状の開口２がなく，手で押さえる不便利さと，動くため不安定な状態で，安心しで眉を描くことが困難であったのを解決する。【解決手段】眉の形状に合わせる左右の眉型をモデル別に開口２し，開口される該眉型に相似する外周面１を柔軟な材質で形成する細長シート１の両端３に固定用の粘着テープ３を設けて成ることにより，自分に合ったモデルを選び，顔の眉に固定感がある状態で安心して，眉を描き上げることができる。【選択図】図１
0003112981.tif 000002
【実用新案登録請求の範囲】
【請求項１】
眉の形状に合わせる左右の眉形をモデル別に開口し，開口される該眉形に相似する外周面を例えば，透明で柔軟な材料なとで形成する細長シートの両端に，固定用の粘着テープを設けて成るようにした化粧用眉描器具である。
【考案の詳細な説明】
【技術分野】
【０００１】    本考案は化粧をする際に眉を描ための器具に関するものである。
【背景技術】
【０００２】    化粧をする際に眉を描く時，頭の中で眉線をイメージし，その形に描いてゆくのであるが，なかなかイメージ通りに描き上げることは難しく，大変時間もかかるものであった。
従来の化粧用眉器具は，硬い材質で両端３が細くとがっているため，目や肌等を傷つげる危険性があるものもある。（例えば，非実用文献１参照）【０００３】    また，眉状の開口２がなく，手で押さえる不便利さと，動くため不安定な状態で，安心しで眉を描くことが困難であるものもあった。（例えば，実用文献１参照）
【実用文献１】
実願平１０−４０５１  公報
【非実用文献１】
「具印株式会社の商品名ＫＱ−０８１６アイブローカイド」
【考案の開示】
【考案が解決しようとする課題】
【０００４】    以上に述べた従来の化粧用眉器具は，顔を傷つげる危険性と，手で押さえる不便利さと動くため左右固定感がなく，眉を描くことが困難であった問題を解決するための，化粧用眉描器具を提供することにある。
【課題を解決するための手段】
【０００５】    本考案による化粧用眉描器具は，請求項１に記載のように，眉の形状に合わせる左右の眉型をモデル別に開口２し，開口される該眉型に相似する外周面１を例えば，透明で柔軟なプラスチック等で形成する細長シート１の両端３に固定用の粘着テープ３を設けて成るようにした化粧用眉描器具である。
【考案の効果】
【０００６】    本考案によれば，化粧用眉描器具１は，柔軟な素材を使うことにより目や肌などを傷つげることがなくなると共に，左右眉型をモデル別に開口２することで自分に合うモデルを選び，細長シート１の両端に固定用粘着テープ３を設けることにより，手で押さえる不便利さと動くための不安定感がなく，顔の眉と固定感があり安心した状態で開口２の線に沿って，ペンシルでなぞるように描くと，とても簡単にイメージ通りの眉を描き上げることが容易である。
【考案を実施するための最良の形態】
【０００７】    本考案による化粧用眉描器具図１は，例えばプラスチック等の透明で柔軟な材料を使い目的に合わせる左右眉形をモデル別に開口２し，開口される該眉形に相似する外周面を形成する細長シート１の両端に固定用テープ３を設けてなるものである。
また，使用する際は，図２に示したように自分の顔眉部分に図１の開口２部分を合わせで，眉線が終わる両端３を固定用粘着テープ３で貼ることにより，顔と図１が合致し固定感があり安心した状態で，開口２の線に沿ってペンシルでなぞるように描くと，とても簡単にイメージ通りの眉を描き上げることが出来るのである。
【図面の簡単な説明】
【０００８】
【図１】  本考案による化粧用眉描器具の実施例を示す正面図である。
【図２】  図１の化粧用眉描器具の使用状態を示す使用状態図である。
【符号の説明】
【０００９】  １  化粧用眉描器具
２  左眉型開口
２  右眉型開口
３  左固定用粘着テープ
３  右固定用粘着テープ
【図１】
0003112981.tif 000003
【図２】
0003112981.tif 000004